(57)【要約】【課題】車載用モニタを前席シートバックの背部に位置させることができるとともに、その前後位置及び左右上下の角度を調整させることが可能な取付装置を提供する。【解決手段】前部座席のシートバック６０上部に突設された１対のヘッドレストステー６１、６１を挟んで、互いに離れ又は閉じる方向に相対移動及び結合自在に対向配置される前後１対の固定アーム２、３と、両固定アーム２、３のヘッドレストステー６１、６１間の中間部分に、これと直交する前後方向に相対的に摺動自在に設けた摺動プレート４と、摺動プレート４のシートバック６０背面からの突出部に配置されたモニタ取付部６とを備え、モニタの上下左右の角度の調整も自在とした。【選択図】      図７
2008254620.tif 000002
【特許請求の範囲】
【請求項１】
前部座席のシートバック上部に突設された１対のヘッドレストステーを挟んで、互いに開き又は閉じる方向に相対移動及び結合自在に対向配置される前後１対の固定アームと、
前記両固定アームの中間部分に、これと直交する方向に相対的に摺動自在に設けた摺動プレートと、
前記摺動プレートの前記シートバック背面からの突出部に配置されたモニタ取付部と
を備えたことを特徴とする車載用モニタの取付装置。
【請求項２】
前記両固定アーム同士を結合することにより、両固定アームを前記ヘッドレストステーに狭持状態に固定する手段を備え、
前記摺動プレートは、前記両固定アームに外嵌される上下に分割可能な枠形状とされるとともに両固定アームに対し前後方向に相対的に摺動自在とされ、摺動プレートに前後方向に設けた長孔及び前記ヘッドレストステーの後方に位置する一方の固定アームを貫通して設けた固定用具の締結により、前記摺動プレート及び前記モニタ取付部を前記シートバック背面の適宜突出位置に固定する構成とされ、
前記摺動プレートが外嵌される前記両固定アームの中間位置には、摺動プレートの前後方向の摺動をガイドする凹部が前後方向に貫通して形成されていることを特徴とする請求項１に記載の車載用モニタの取付装置。
【請求項３】
前記モニタ取付部は、前記摺動プレートの突出端に前後傾動および水平方向に回動可能に取付けられた取付体と、該取付体上に固定されたモニタスタンドと、該モニタスタンドの壁部を貫通して、その先端が前記モニタの背面に固定されるねじ付レールガイドと、該レールガイドのねじ部にねじ込むことによって、モニタスタンドの前面とレールガイド間にモニタの背面を狭持固定するねじハンドルを備えたことを特徴とする請求項１又は２に記載の車載用モニタの取付装置。
【請求項４】
前記取付体（２２）は、前記摺動プレートの突出端に突設された１対のブラケット（２０，２１）間に配置され、前記ブラケット（２０，２１）に形成された軸孔に連通する軸孔を側面に貫通形成するとともに、幅方向中央に拡縮可能なスリット（３２）を形成し且つ中央部縦方向に前記スリット（３２）に連通する取付孔（３３）を形成した取付ブロック（３０）と、該取付ブロック（３０）の取付孔（３３）に回動可能に嵌合されるとともに、上部に前記モニタスタンド（２４）を着脱自在に固定した円筒ブロック（３６）と、前記一方のブラケットの軸孔に挿通される締めねじ（３８）を備え、前記締めねじ（３８）の締め緩めに応じて、前記ブラケット（２０，２１）間を拡縮して取付ブロック（３０）の固定・解除を行うとともに、取付ブロック（３０）自体を拡縮させて前記円筒ブロック（３６）の固定・解除を行う構成とされ、
前記取付ブロック（３０）の側面には、前記軸孔の同心位置周囲に放射状凹凸（３１ａ）を形成する一方、前記ブラケットの相対する面には、軸孔の同心位置周囲に前記放射状凹凸（３１ａ）に噛合可能な放射状凹凸（３４ａ）を設けるとともに、前記取付ブロック（３０）の取付孔（３３）の内周面にはスプライン状凹凸（３３ａ）を形成する一方、円筒ブロック（３６）の外周には前記スプライン状凹凸（３３ａ）に噛合可能なスプライン状凹凸（３６ａ）を形成し、前記ブラケットの相対する面には、角孔よりなる軸孔（２０ａ）が形成され、この軸孔（２０ａ）には、ブラケットの内側において、前記取付ブロック（３０）側面の前記放射状凹凸（３１ａ）に噛合可能な前記放射状凹凸（３４ａ）を設けたチルト板（３４）が設けられ、該チルト板（３４）の外側部には前記角孔よりなる軸孔（２０ａ）に嵌合される角形突起（３４ｂ）が形成されていることを特徴とする請求項１乃至３のいずれか１項記載の車載用モニタの取付装置。
【発明の詳細な説明】
【技術分野】
【０００１】
本発明は、小型液晶テレビ、ナビゲーション画像、携帯電話、携帯用音楽プレイヤー、携帯用ゲーム機などモニタを備えた機器を、主に同乗者にために配置するための自動車用機器の取付装置に関するものである。
【背景技術】
【０００２】
自動車用品販売店、家電量販店などで販売されるカー用品の一つに、車載用の小型液晶モニタがある。この車両用モニタでは、前部座席の前面に設けられるカーナビゲーション用モニタとは別に、ＤＶＤプレイヤーやチューナー、ゲーム機などを接続することにより、上記機器の映像を映し出し、同乗者が楽しめるようになっている。また、ダウンロードした音楽や映像を携帯電話や携帯用音楽プレイヤーで再生が可能であり、モニタを備えた機器も多様化していると共に、携帯電話や携帯用音楽プレイヤーを自動車で使用する機会も多くなっている。
【０００３】
車載用の小型液晶モニタを車内に後付けするにあたっては、前席のヘッドレストの支持用ステーが適当な支持剛性を有し、且つ、モニタの取付位置が後部座席に座る人の目線にほぼ合致していることから、下記特許文献１に示すモニタをヘッドレストシャフトに固定するための取付装置が開発され、取付装置単体或いは車載用モニタの付属品として販売されている。
【０００４】
この取付装置は、フロントシートのシートバックに配備されたヘッドレストステーを利用して取付を行うものであり、このステーに挿通される一対のアーム取付台と、この挿通方向に直交して取付台を挿通するとともに、横方向に伸縮可能な水平アームと、水平アームの端部に固定されたチルト式のモニタ取付台とを備え、この取付台の取付ブロックにモニタを固定することによって、モニタを水平移動、かつ所望傾動角度調整可能に取付け可能としたものである。
【０００５】
しかしながら、特許文献１の前記取付台は、ヘッドレストステーに対する挿通孔を水平アームに直交して形成したものであるため、取付装置の固定作業は、ヘッドレストステーをシートバックから一旦取外し、固定台をステーに挿通した後、再びヘッドレストをシートバックにセットしなければならなかった。この種ヘッドレストステーは、シートバックフレームに溶接により固定されたステー支持パイプに挿通される構造となっており、一旦ヘッドレストをシートバックから取外した場合には、若干嵌め込み寸法が異なる場合があるため、再挿入作業が面倒となるおそれがあった。
【０００６】
このような問題点を解決するために、本出願人は、下記特許文献２の取付装置を発明した。特許文献２の取付装置では、シートバックにヘッドレストステーを挿通させた状態で、取付装置を取り付けることができる。
【特許文献１】特開２００３−３１３８６１号公報
【特許文献２】実用新案登録第３１２８６２１号公報
【発明の開示】
【発明が解決しようとする課題】
【０００７】
特許文献１及び２の取付装置では、基本的に、ヘッドレストの側方にモニタが位置するように配置されている。
【０００８】
しかしこの構造では、前部座席を前後調整する際の障害となるため、これらの調整毎に取付装置も予め伸縮調整しなければならない。さらにモニタを片持ち支持するため、十分な支持剛性を確保しなければならず、モニタそのものの大きさに対して、取付装置が大型化し、目立つとともに、前席シートバックの背部および側面に大きく突出して配置されるため、衝突時などの安全性に問題を生ずる可能性もあった。
【０００９】
特許文献２の取付装置では、前席シートバックの背部に取付装置を位置させることが可能であるが、そのための装置の着脱操作が面倒であり、部品点数も多くなるという問題があった。また、前席シートバックの厚さ形状や傾き度合いに対応させて車載用モニタの前後位置を調整させることは困難であった。
【００１０】
本発明は以上の課題を解決するものであり、その第１の目的は、車載用モニタを前席シートバックの背部に位置させることができるとともに、車載用モニタの前後位置を調整させること可能な取付装置を提供する点にあり、そのための操作も容易で、部品点数も少なくした車載用モニタ取付装置を提供するものである。
【００１１】
本発明の第２の目的は、ヘッドレストステーを引抜くことなく取付を行え、小型、軽量である割には支持剛性が高く、後部座席に座る人の位置や座高に合わせて簡単にその画面方向を調整可能とした車載用モニタ取付装置を提供するものである。
【課題を解決するための手段】
【００１２】
前記目的を達成するため、本発明による車載用モニタの取付装置は、図の実施の形態にも示すとおり、前部座席のシートバック６０上部に突設された１対のヘッドレストステー６１、６１を挟んで、互いに離れ又は閉じる方向に相対移動及び結合自在に対向配置される前後１対の固定アーム２、３と、前記両固定アーム２、３のヘッドレストステー６１、６１間の中間部分に、これと直交する前後方向に相対的に摺動自在に設けた摺動プレート４と、前記摺動プレート４の前記シートバック６０背面からの突出部に配置されたモニタ取付部６とを備えたことを特徴としている。
【００１３】
前記両固定アーム２、３同士を結合することにより、両固定アーム２、３を前記ヘッドレストステーに狭持状態に固定する手段、例えば取付用具５０を備えたことを特徴としている。取付用具５０は、複数本の取付用ねじにより構成させることができる。
【００１４】
上記の構成によれば、車載用モニタ７０を前部座席の背部に確実に取り付けることができ、摺動プレート４の前後摺動操作により、車載用モニタ７０の前部座席の背部からの距離も適宜変更することができる。また、後述するように、ヘッドレスト６２をシートバック６０に取り付けた状態で、取付装置を取り付けることができる。
【００１５】
また、本発明では、前記摺動プレート４は、その取付ベース５とともに、前記両固定アーム２、３に外嵌される上下に分割可能な枠形状とされるとともに、両固定アーム２、３に対し前後方向に相対的に摺動自在とされ、摺動プレート４に前後方向に設けた長孔７、８及び前記ヘッドレストステー６１の後方に位置する一方の固定アーム２を貫通して設けた固定用具１０の締結により、前記摺動プレート４及び前記モニタ取付部６を前記シートバック６０背面の適宜突出位置に固定するようにしたことを特徴としている。
【００１６】
前記摺動プレート４が外嵌される前記両固定アーム２、３の中間位置には、摺動プレート４の前後方向の摺動をガイドする凹部２ａ，３ａが前後方向に貫通して形成されていることを特徴とする。
【００１７】
上記の構成によれば、摺動プレート４及びモニタ取付部６の前後移動操作が凹部２ａ，３ａに案内されて容易で安定しており、使用中左右にずれたり、振動したりすることがない。
【００１８】
また、本発明では、前記モニタ取付部６は、前記摺動プレート４の突出端に前後傾動および水平方向に回動可能に取付けられた取付体２２と、該取付体２２上に固定されたモニタスタンド２４と、該モニタスタンド２４の壁部２４ａを貫通して、その先端が前記モニタ７０の背面に形成された、例えば取付用のガイドレール７１内に嵌合されるねじ付レールガイド２６と、該レールガイド２６のねじ２５部にねじ込むことによって、モニタスタンド２４の前面とレールガイド２６間にモニタ７０の背面を狭持固定するねじハンドル２７を備えたことを特徴としている。ねじハンドル２７は、ダブルナット構造とすることが望ましい。
【００１９】
上記の構成により、摺動プレート４の前部位置に車載用モニタを完全確実に取り付けることができ、その上下及び左右角度の調整も自由である。
【００２０】
前記取付体２２は、前記摺動プレートの突出端に突設された１対のブラケット２０，２１間に配置され、前記ブラケット２０，２１に形成された軸孔に連通する軸孔を側面に貫通形成するとともに、幅方向中央に拡縮可能なスリット３２を形成し且つ中央部縦方向に前記スリット３２に連通する取付孔３３を形成した取付ブロック３０と、該取付ブロック３０の取付孔３３に回動可能に嵌合されるとともに、上部に前記モニタスタンド２４を着脱自在に固定した円筒ブロック３６と、前記一方のブラケットの軸孔に挿通される締めねじ３８を備え、前記締めねじ３８の締め緩めに応じて、前記ブラケット２０，２１間を拡縮して取付ブロック３０の固定・解除を行うとともに、取付ブロック３０自体を拡縮させて前記円筒ブロック３６の固定・解除を行うことを特徴とする。
【００２１】
前記取付ブロック３０の側面には、前記軸孔の同心位置周囲に放射状凹凸３１ａを形成する一方、前記ブラケットの相対する面には、軸孔の同心位置周囲に前記放射状凹凸３１ａに噛合可能な放射状凹凸３４ａを設けるとともに、前記取付ブロック３０の取付孔３３の内周面にはスプライン状凹凸３３ａを形成する一方、円筒ブロック３６の外周には前記スプライン状凹凸３３ａに噛合可能なスプライン状凹凸３６ａを形成している。
【００２２】
前記ブラケットの相対する面には、角孔よりなる軸孔２０ａが形成され、この軸孔２０ａには、ブラケットの内側において、前記取付ブロック３０側面の放射状凹凸３１ａに噛合可能な前記放射状凹凸３４ａを設けたチルト板３４が設けられ、該チルト板３４の外側部には前記角孔よりなる軸孔２０ａに嵌合される角形突起３４ｂが形成されている。
【００２３】
上記の構成によれば、モニタ７０の水平方向角度、前・後傾角度調整を一本の締めねじ３８の操作によって一度に行うことができるため、モニタを視聴者する人の座高や位置に応じて簡単に調整できる。
また、モニタの角度調整後は、凹凸同士の噛合により、安定な固定状態となる。
【発明の効果】
【００２４】
本発明によれば、車載用モニタを前席シートバックの背部に位置させることができるとともに、車載用モニタの前後位置を、前席シートバックの厚さ形状及び傾き具合に対応させて、最適な位置に容易に調整させること可能となる。また、そのための操作も容易で、部品点数も少なくてすむ。
【００２５】
本発明によれば、ヘッドレストを引抜くことなく、前席シートバックの背部に取付装置の取り付けを行うことができる。その取付手順としては、両固定アーム同士を離した状態でその一方を、ヘッドレストの一方のステーに通し、次いで他方を他方のステーをくぐらせた後、両固定アーム同士を取付用具を介して緊結すれば、ステーに対する固定アームの取付が完了する。しかる後、摺動プレートの先端を前席のシートバック背面に所望突出量に調整し、固定用具により固定アームに固定すれば、ヘッドレストステーに対する取付装置の固定が完了し、その後は摺動プレートの先端に設けた取付部にモニタを固定すればモニタの固定も完了する。従って本取付装置では、前部座席の背部に取付装置を確実且つ容易に取り付けることができ、その取り付けも、ヘッドレストをシートバックから取外すことなく、行われるため、取付作業が簡単である。
【００２６】
また、本発明によれば、モニタスタンドに対するモニタの取付作業も簡単に行うことができる。
【００２７】
さらに、本発明によれば、モニタの水平方向角度、前・後傾角度調整を一本の締めねじによって行うことができるため、モニタ視聴者の座高及び視線、並びに前席のシートバック背面の傾斜角度に応じて簡単に調整できる。また、モニタの角度調整後は、凹凸同士の噛合により、安定な固定状態とすることができる。また、モニタの角度調整は、円筒ブロック３６のスプライン状凹凸３６ａと取付ブロック３０のスプライン状凹凸３３ａの噛合並びに、取付ブロック３０の放射状凹凸３１ａとチルト板３４の放射状凹凸３４ａの噛合いによって、安定且つ強固な固定状態とすることができる。
【発明を実施するための最良の形態】
【００２８】
以下、本発明の最良の形態につき、添付図面を参照して説明する。
図１は本発明に係る取付装置の分解斜視図、図２はモニタ取付部分の分解斜視図、図３はその逆側から見た分解斜視図を示している。
【００２９】
図１において、取付装置１は、平行配置された一対の固定アーム２，３と、固定アーム２，３の中間部分に前後方向に貫通して形成された凹部２ａ，３ａの上部に外嵌され、各アーム２，３の長手方向と直交して配置される底面解放の摺動プレート４と、摺動プレート４の底面に複数の取付ねじＢを介して固定され、摺動プレート４との間で両アーム２，３を相対的に摺動自在に保持する取付ベース５と、摺動プレート４の先端に配置されたモニタ取付部６とを備えている。摺動プレート４と取付ベース５とにより、枠形の摺動プレートを構成し、一対の固定アーム２，３の凹部２ａ，３ａに外嵌されて、前後方向に摺動する。
【００３０】
摺動プレート４の中央部および取付ベース５の中央部には、その長手方向に沿って長孔７，８が形成されているとともに、一方の固定アーム２（図の手前側であって、ヘッドレスステー６１の後部に位置する）の凹部２ａには、その上下を貫通してねじ挿通孔９が形成され、長孔７，８およびねじ挿通孔９を通じて六角孔付きねじよりなる固定用具１０をワッシャＷを介して挿通し、摺動プレートを構成する取付ベース５の裏面側に配置された袋ナットよりなるナット具１１にねじ込むことにより、一方の固定アーム２を長孔７，８に沿って移動・固定可能に連結し、他方のアーム３を摺動プレート４内で自由に移動可能に保持するようになっている。
【００３１】
以上述べた各部材は、いずれも高強度の合成樹脂射出成形体からなるものであり、各固定アーム２，３の内側には多数の補強リブ（特に他方の固定アーム３に図示されている）によって結合された中空形状をなし、軽量化並びに軽量化に伴う剛性低下を補っている。また一方のアーム２には複数のねじ挿通孔２ｂが形成され、他方のアーム３のねじ受け部にはインサートナット３ｂがインサート成形されている。
【００３２】
両固定アーム２，３の接合状態では、図２，３に示すように、後述するヘッドレストステーを狭持する長孔状となる狭持溝１２が、両固定アーム２，３の接合面の左右に形成されることにより、ヘッドレストステーからの脱落を防止するようになっている。
【００３３】
次にモニタ取付部６の部品構成を同図２，３を用いて説明する。図２，３において、モニタ取付部６は、摺動プレート４の先端に一体に突出形成された１対のブラケット２０，２１間に配置される取付体２２と、取付体２２上に取付ねじ２３を介して固定設置される側面視略Ｌ字形のモニタスタンド２４と、モニタスタンド２４の垂直壁部２４ａの前後を貫通するねじ２５、およびねじ２５の先端に一体化された略小判形のレールガイド２６と、ねじ２５の背面突出端にねじ込まれる十字形の１対のねじハンドル２７と、垂直壁部２４ａの前面に形成された１対の溝部に嵌合された反力板としての長方形の１対のゴムパッド２８とを備えている。
【００３４】
取付体２２は、ブラケット２０，２１間に配置される中心部品としての取付ブロック３０を備えている。この取付ブロック３０は全体がさいころ状をなし、その前部側は円弧面となっている。この円弧面には、その中心部に、ブラケット２０，２１に形成された軸孔に連通する軸孔３１を貫通形成するとともに、幅方向中央に縦方向に沿ってスリット３２を形成し、かつ中央部縦方向にスリット３２に連通する取付孔３３を貫通形成した形状となっている。そして、この取付ブロック３０の前部一側面には、軸孔３１の同心位置周囲に放射状凹凸３１ａを形成するとともに、取付孔３３の内周面にはスプライン状凹凸３３ａを形成している。
【００３５】
これに対し、一方のブラケット２０の相対する面には角孔よりなる軸孔２０ａが形成され、この軸孔２０ａには、上記一方のブラケット２０の内側において、放射状凹凸３１ａに噛合可能な放射状凹凸３４ａを形成した固定側チルト板３４が嵌合されるようになっている。チルト板３４の外側部には軸孔２０ａに回り止め状態に嵌合される角形突起３４ｂが突設されているとともに、その中心には前記軸孔３１に一致する軸孔３５が貫通形成されている。
【００３６】
また、取付ブロック３０の取付孔３３内には、外周には前記スプライン状凹凸３３ａに噛合可能なスプライン状凹凸３６ａを形成し、かつ中心に取付ねじ２３を挿通する軸孔３７を形成した円筒ブロック３６が嵌合されるようになっており、この上面にモニタスタンド２４が配置され、袋ナットよりなるナット具２３ａにより取付ねじ２３を締付けることにより、モニタスタンド２４を円筒ブロック３６上に固定するようになっている。円筒ブロック３６の上面における軸孔３７の周囲には放射方向に複数の凸係合部３６ｂ（又は凹係合部）が形成されている。
上記側面視略Ｌ字形のモニタスタンド２４の水平壁部２４ｂの先端には、図３及び図４に示されるように、略Ｕ形状の凹溝よりなるナット収納部２４ｃが形成され、このナット収納部２４ｃの下部における水平壁部２４ｂの先端下部には円筒形状のボス部２４ｄが一体に形成されている。ボス部２４ｄの軸孔２４ｅの底部の周囲には放射方向に複数の凹係合部２４ｅ（又は凸係合部）が形成され、上記円筒ブロック３６上面の凸係合部３６ｂ（又は凹係合部）と係脱自在に係合する。上記取付ネジ２３を、上記円筒ブロック３６の軸孔３７及びモニタスタンド２４の水平壁部２４ｂの軸孔２４ｅに貫通させ、ナット収納部２４ｃ内に位置する上記ナット具２３ａに締付けることにより、モニタスタンド２４は円筒ブロック３６上に着脱自在に固定される。
【００３７】
さらには、一方のブラケット２０にはＴ字形をした締付けねじ３８が前記軸孔３７，３１および他方のブラケット２１に形成された軸孔２１ａを貫通して挿通されるようになっており、他方側ブラケット２１の外側面に配置された袋ナットよりなるナット具４０にねじ込まれるようになっている。締め付けねじ３８のねじ込み操作により、図１に示すように、取付体２２およびモニタスタンド２４を中心とする各部材が摺動プレート４の先端に組付けられるようになっている。
【００３８】
以上の取付装置１は、図５，図６に示すように、各部一体に組付けられた状態で販売用に梱包されているほか、複数本の大小の取付用ねじよりなる取付用具５０、および図示しないワッシャ、六角レンチ、プラスドライバー、その他モニタの取付部形状に応じたアタッチメント部品などが付属部品として添付される。
【００３９】
そして、取付用具５０をねじ挿通孔２ａに挿通してインサートナット３ａにねじ込み、締上げることによって、図６に示すように、両固定アーム２，３間の接合面には左右に狭持溝１２が形成され、この狭持溝１２間にヘッドレストステーを狭持状態に連結するようになっている。また、六角孔付きねじよりなる固定用具１０を締付けない限りにおいては、摺動プレート４は前後方向（矢印方向）にスライド可能な状態となっている。
【００４０】
図７，８は以上の取付装置１をヘッドレストステー６１に取付けた状態を示すものである。符号６０は前部座席のシートバックであり、このシートバック６０は、普通乗用車では運転席または助手席、あるいは大型車両では２列目以降の座席に設けられるものであり、シートバック６の上部には左右一対の前述するヘッドレストステー６１を介してヘッドレスト６２が昇降調整可能に設けられており、図６に矢印に示すように、ヘッドレスト６２を上昇させてステー６１をシートバック６０上に露出させ、両固定アーム２，３をヘッドレストステー６１間に位置させ、ねじよりなる取付用具５０を締付けることによって両固定アーム２，３をヘッドレストステー６１間に狭持状態に固定することができる。なお、この作業時における装着手順については後述する。
【００４１】
その後、摺動プレート４を後方にスライドさせてシートバック６０の背面に突出させ、その状態で固定用具１０を締上げることにより摺動プレート４も固定され、突出先端に位置する取付部６に図８に示すごとく、前述するモニタ７０を取付ければ、取付装置１を介してシートバック６０の背面上部中央位置に対するモニタ７０が固定され、その後ヘッドレスト６２を下降することによって全ての作業を終了する。
【００４２】
モニタ７０の背面中央には、図９（ａ）に示すように、下縁に開口を有し、レールガイド２６が摺動可能に係合する形状をなす溝状のガイドレール７１が形成され、このガイドレール７１にレールガイド２６を挿通し、適宜な位置に位置させた状態で背面側からねじハンドル２７を締付けることにより、図９（ｂ）に示すように、簡単にモニタ７０を固定できる。なお、ねじハンドル２７を二重ナット構造としたのは、車体振動による固定の弛みを解消するためになされたものである。また、モニタ７０によっては別の取付構造となっている場合があるが、この場合にはアタッチメントなどを介して上記取付構造とすることも可能である。
【００４３】
なお、図９（ａ）の矢印に示すように、取付体２２は水平方向および前後傾方向に回動可能であり、これら回動角度の固定操作とその解除は一本の締めねじ３８の締め緩め動作によってなされる。
【００４４】
図１０（ａ），（ｂ）はその操作状態を示すものである。図１０（ａ）は締めねじ３８がゆるんでいる状態を示し、この状態ではブラケット２０，２１間はやや広がり、取付ブロック３０のスリット３２の幅Ｄは広がった状態にあり、放射状凹凸３１ａと、固定チルト板３４の放射状凹凸３４ａは接してはいるが、相対的に回動可能である。また、取付孔３３のスプライン状凹凸３３ａと円筒ブロック３６のスプライン状凹凸３６ａも接してはいるが、相対的に回動可能である。従って、この緩め状態で傾動角および水平方向の向きを調節できる。
【００４５】
傾動角度位置および水平方向の向きの調整後、締めねじ３８のつまみ３８ａを締付け方向に回動すると、ブラケット２０，２１間の距離が縮まり、放射状凹凸３１ａ，３４ａ同士が噛合し、また取付ブロック３０のスリット３２の幅ｄも縮まることによって取付孔３３の系も縮まり、スプライン状凹凸３３ａ、３６ａ同士も完全に噛合し、これらの噛合によって、水平および傾斜角度調節位置に完全固定されることになる。
【００４６】
次に前述する両固定アーム２，３の装着手順を図１１、１２を用いて説明する。まず、図１１（ａ）に示すように未だ両固定アーム２，３同士が摺動プレート４内で自由に移動できる状態（図５参照）で一方のステー６１に両固定アーム２，３間の一方を挿通し、図１１（ｂ）に示すように回動させて、水平に直すことにより、両固定アーム２，３の他端開口が他方のステー６１に対向位置する。
【００４７】
この状態で図１１（ｃ）に示すように水平移動させ、摺動プレート４がステー３１の中央に位置するように調節した後、前述の取付用ねじ５０をねじ込めば、両固定アーム２，３のステー６１への固定がなされる。取付完了後は、取付部６の先端にモニタ７０を図１２（ａ）に示すように固定する。
【００４８】
なお、この段階では摺動プレート４のシートバック６０からの突出位置は定っておらず、図１２（ｂ）に示すように、摺動プレート４を突出させた後、固定用具１０を締付ければ、摺動プレート４も固定され、図１２（ｃ）の想像線に示すごとく、シートバック６０に干渉することなく、モニタ７０の水平方向の最大チルト角度の調整を行うことができる。
【００４９】
次にモニタ７０の前・後傾角度調整について図１３を用いて説明する。周知のように液晶モニタなどの場合、画面を正面から眺めないと画像が若干不鮮明となる場合があり、画面位置に対する視線方向は重要である。まず、（ａ）は極端な場合を示すものであり、例えば大人と幼児ではモニタ７０を眺める目線の高さに極端な違いがあり、大人目線［Ａ］で丁度良い眺めであっても、幼児目線［Ｂ］は画面に正対できない。そこで、取付装置６の天地を逆にすれば、幼児目線［Ｂ］に適合できるものとなる。なお、この例では、モニタ７０を取付けたままでは取付装置６の角度変更はできず、一旦モニタ７０を取付装置から外さなければならないが、モニタ７０の取付作業は前述のごとく簡単に行えるため（図９参照）この種の変更も簡単に行うことができる。
【００５０】
次に大人目線であっても後部座席に座る人の座高によって画面の見え方が異なり、この場合には、（ｂ）のごとく、その座高に応じた角度調整操作により、画面方向に目線に合わせることができる。
【００５１】
さらに、前部座席に座る人がシートバック６０を後傾させてリクライニングした場合であっても、（ｃ）に示すように、調整操作により、画面方向に目線を合わせることができ、いずれの調整操作も前述のごとく締めねじ３８を緩めた状態で行い、調整位置で再度締めねじ３８を締付ければ、調整可能である。
【００５２】
なお、上記実施形態では取付装置１が適用されるモニタ７０の大きさを特定しなかったが、本取付装置１は、一般乗用車で常用されている７．２〜９インチモニタのほか、一般乗用車にとって最大の大きさである１１インチ大画面モニタの荷重を支持できる程度の支持剛性を有することは勿論である。
【００５３】
また、本発明は後部座席専用の車載用モニタの取付装置に適用したが、例えばモニタ取付部６のみを転用して運転席側に配置されるカーナビゲーション用の後付モニタの簡易取付装置にも適用できる。この場合には摺動プレート４に替えて、その取付基部を運転席近傍のインストルメントパネル、またはダッシュパネルに強粘着テープ、吸着板などを介して固定すればよい。
【００５４】
図１４は、本発明の参考例に係る車載用モニタの取付装置を示す斜視図である。
参考例に係る取付装置は、モニタ取付部６のブラケット２０，２１を略コ型に形成し、その基板８０の下面に固定して設けた取付板８１を、両面接着テープ又は取付ビスなどの固定手段により、乗用車のダッシュパネルなどの固定部に固定して取り付けている。
参考例に係る取付装置において、上記本発明の実施例と共通する箇所には、共通する符号を付して、その詳細な説明は省略する。
【図面の簡単な説明】
【００５５】
【図１】本発明に係る取付装置の分解斜視図である。
【図２】同取付装置におけるモニタ取付部分の分解斜視図である。
【図３】同取付装置におけるモニタ取付部分の逆側から見た分解斜視図である。
【図４】同取付装置におけるモニタ取付部分の一部の分解斜視図である。
【図５】同取付装置におけるヘッドレスト固定部分の固定前の斜視図である。
【図６】同取付装置におけるベッドレスト固定部分の固定後の斜視図である。
【図７】同取付装置をヘッドレストにセットした状態の斜視図である。
【図８】同取付装置をヘッドレストに固定した状態の斜視図である。
【図９】（ａ），（ｂ）はモニタ取付部分の調整とモニタ固定後を示す斜視図である。
【図１０】（ａ），（ｂ）は固定前後のモニタ取付部分の状態を示す平断面図である。
【図１１】（ａ），（ｂ）．（ｃ）は同取付装置のヘッドレストステーへのセット手順を示す平面説明図である。
【図１２】（ａ），（ｂ），（ｃ）は同取付装置のヘッドレストからの前後突出とモニタの水平方向の角度調整状態を示す平面説明図である。
【図１３】（ａ），（ｂ），（ｃ）は同取付装置の高さおよび前後傾方向の角度調整状態を示す側面説明図である。
【図１４】参考例に係る取付装置の斜視図である。
【符号の説明】
【００５６】
１  モニタ取付装置
２，３  固定アーム
４  摺動プレート（５  取付ベース）
６  モニタ取付部
７，８  長孔
１０  固定用具
２０，２１  ブラケット
２２  取付体
２４  モニタスタンド
２４ａ  垂直壁部
２５  ねじ
２６  レールガイド
２７  ねじハンドル
３０  取付ブロック
３１、３５  軸孔
３１ａ  放射状凹凸
３２  スリット
３３  取付孔，３３ａ  スプライン状凹凸
３４  チルト板
３４ａ  放射状凹凸，３４ｂ  角形突起
３６  円筒ブロック，３６ａ  スプライン状凹凸
３８  締めねじ
５０  取付用具
６０  前部座席のシートバック
６１  ヘッドレストステー
６２  ヘッドレスト
７０  モニタ
７１  ガイドレール
８０  基板
８１  取付板
【図１】
2008254620.tif 000003
【図２】
2008254620.tif 000004
【図３】
2008254620.tif 000005
【図４】
2008254620.tif 000006
【図５】
2008254620.tif 000007
【図６】
2008254620.tif 000008
【図７】
2008254620.tif 000009
【図８】
2008254620.tif 000010
【図９】
2008254620.tif 000011
【図１０】
2008254620.tif 000012
【図１１】
2008254620.tif 000013
【図１２】
2008254620.tif 000014
【図１３】
2008254620.tif 000015
【図１４】
2008254620.tif 000016